(57)【要約】【課題】タンクの着脱の容易化を図る。【解決手段】枠側継手部８とタンク側継手部１５とが互いに差し込まれるとともに枠側係合部９とタンク側係合部１６とが互いに係合されることによってタンク１２が可動枠３に取り付けられ、枠側係合部９とタンク側係合部１６とが互いに解除されるとともに枠側継手部８とタンク側継手部１５とが互いに引き抜かれることによってタンク１２が可動枠３から取り外されるので、工具を使用することなく、素手で、タンク１２を可動枠３に容易に取り付けたり可動枠３から容易に取り外したりすることができる。【選択図】図１
2009072323.tif 000002
【特許請求の範囲】
【請求項１】
遊技機枠には枠側継手部および枠側係合部が設けられ、タンクにはタンク側継手部およびタンク側係合部が設けられ、枠側継手部およびタンク側継手部が互いに抜き差し可能に構成され、枠側係合部およびタンク側係合部が互いに係合および解除可能に構成されたことを特徴とする遊技機の球払出装置。
【請求項２】
タンクには停止した場合に球をタンクに貯蔵するとともに駆動した場合にタンクから球を払い出す払出機構が設けられたことを特徴とする請求項１記載の遊技機の球払出装置。
【発明の詳細な説明】
【技術分野】
【０００１】
本発明は、タンクの着脱が容易な遊技機の球払出装置に関する。
【背景技術】
【０００２】
図１２は、特許文献１で開示された遊技機の球払出装置を示す。図１２において、払出機構１４が停止すると、パチンコ球と呼ばれる球がタンク１２に貯蔵される。そして、通路切替機構５１が払出機構１４と払出通路構造体１９とを接続し払出機構１４と球抜通路構造体５２とを遮断した状態において、払出機構１４が駆動すると、タンク１２における球が払出機構１４から払出通路構造体１９を経由して遊技機枠１の前部における受皿５３に払い出される。また、修理などに際し、球をタンク１２から遊技店の側に抜き取るために、通路切替機構５１が払出機構１４と払出通路構造体１９とを遮断しかつ払出機構１４と球抜通路構造体５２とを接続した状態に切り替えられ、払出機構１４が駆動すると、タンク１２における球が払出機構１４から球抜通路構造体５２を経由して遊技機設置設備における捕球機構に排出される。しかしながら、タンク１２が可動枠３にねじ釘などで取り付けられて、タンク１２の着脱が面倒であることから、タンク１２が可動枠３に取り付けられたまま、修理のために、タンク１２から球を抜き取るために、通路切替機構５１および球抜通路構造体５２が設けられており、構造が複雑であるという欠点がある。
【特許文献１】特開２００５−１８５７６１号公報
【発明の開示】
【発明が解決しようとする課題】
【０００３】
発明が解決しようとする問題点は、タンクの着脱が面倒であるという点である。
【課題を解決するための手段】
【０００４】
本発明に係る遊技機の球払出装置は、遊技機枠には枠側継手部および枠側係合部が設けられ、タンクにはタンク側継手部およびタンク側係合部が設けられ、枠側継手部およびタンク側継手部が互いに抜き差し可能に構成され、枠側係合部およびタンク側係合部が互いに係合および解除可能に構成されたことを最も主要な特徴とする。タンクには停止した場合に球をタンクに貯蔵するとともに駆動した場合にタンクから球を払い出す払出機構が設けられてもよい。
【発明の効果】
【０００５】
本発明に係る遊技機の球払出装置は、枠側継手部とタンク側継手部とが互いに差し込まれるとともに枠側係合部とタンク側係合部とが互いに係合されることによってタンクが遊技機枠に取り付けられ、枠側係合部とタンク側係合部とが互いに解除されるとともに枠側継手部とタンク側継手部とが互いに引き抜かれることによってタンクが遊技機枠から取り外されることによって、工具を使用することなく、素手で、タンクを遊技機枠に容易に取り付けたり可動枠から容易に取り外したりすることができるという利点がある。タンクには停止した場合に球をタンクに貯蔵するとともに駆動した場合にタンクから球を払い出す払出機構が設けられれば、払出機構が停止した状態において、タンクを遊技機枠から取り外し、タンクの天地が逆さまになるように、タンクをひっくり返すことによって、球抜機構を設ける必要がなく、球をタンクから適切に抜き取ることができるという利点がある。
【発明を実施するための最良の形態】
【０００６】
図１は、タンク１２の可動枠３への着脱工程を示す。図２は、遊技機のタンク取付装置を分解して示す。図３のａ図は、枠側係合部９とタンク側係合部１６とが互いに係合された形態を示す。図３のｂ図は、枠側係合部９とタンク側係合部１６とが互いに解除された形態を示す。本明細書における「前」、「後」、「左」、「右」、「上」、「下」の方向は、図２の状態に遊技機枠１およびタンク１２を置いて矢印Ｓで示す前方から見た場合に特定される方向である。
【０００７】
図２を参照し、パチンコ遊技機を例として遊技機のタンク取付装置について説明する。タンク取付装置は、タンク１２を可動枠３に取り付けたり可動枠３から取り外したりする装置であって、タンク側継手部１５が枠側継手部８に差し込まれた後、タンク１２が枠側継手部８とタンク側継手部１５との嵌合部分を中心として下方に回転され、枠側係合部９がタンク側係合部１６に係合されることによって、タンク１２が可動枠３に取り付けられ、その状態において、上記枠側係合部９とタンク側係合部１６との係合が解除され、タンク１２が枠側継手部８とタンク側継手部１５との嵌合部分を中心として上方に回転された後、タンク側継手部１５が枠側継手部８から引き抜かれることによって、タンク１２が可動枠３から取り外される構造である。よって、作業者が、工具を使用することなく、素手で、タンク１２を可動枠３に容易に取り付けたり可動枠３から容易に取り外したりすることができるという利点がある。
【０００８】
また、払出機構１４が停止した場合にパチンコ球と呼ばれる球をタンク１２に貯蔵する構造である。よって、修理のために、タンク１２から球を抜き取る場合、払出機構１４が停止した状態において、枠側係合部９とタンク側係合部１６との係合の解除後に、タンク１２を可動枠３から取り外し、タンク１２の天地が逆さまになるように、タンク１２をひっくり返すことによって、図１２の通路切替機構５１や球抜通路構造体５２などの球抜機構を備えることなく、球がタンク１２から適切に抜き取ることができるという利点がある。例えば、固定枠２が遊技機設置設備に固定され、可動枠３がヒンジ４を中心として固定枠２の前方に片開きされ、作業者がタンク１２を手で把持して可動枠３から取り外した後に固定枠２における前後方向に貫通した空間部２０を前方から後方に経由させてひっくり返すことによって、球をタンク１２から遊技機設置設備における捕球機構に捨てることができる。
【０００９】
パチンコ遊技機の遊技機枠１は、固定枠２の前部に可動枠３を開閉可能に備える。固定枠２は、遊技機設置設備に固定される外枠とも呼ばれる。遊技機設置設備は、パチンコ遊技機を設置する遊技店の島と呼ばれる設備である。可動枠３は、左側部に位置するヒンジ４を中心とし、固定枠２の前部において前方に開かれかつ後方に閉じられるように片開き可能な前枠とも呼ばれる。
【００１０】
可動枠３には、発射取付部５、盤収容室６、中央開口部７、枠側継手部８、枠側係合部９などが設けられる。盤収容室６は、前方に開口し、前後方向に奥行の有る箱形に構成される。発射取付部５の前部には、図外の発射機構が取り付けられる。中央開口部７は、盤収容室６の背壁に前後方向への貫通孔として形成される。枠側継手部８は、中央開口部７よりも上方に位置し、盤収容室６の背壁から後方に突出し、球払出装置１１のタンク側継手部１５を横方向から嵌め込めるように、横方向の一方向としての左側に開口し、横方向の他方向としての右側に窪む形状として、盤収容室６の後部に設けられる。枠側係合部９は、枠側継手部８よりも左側に位置し、スリット１０で上方および左右両方の３方を囲まれるように盤収容室６の背壁に片持ち梁のように形成された弾性片の後面に突起を備える。
【００１１】
球払出装置１１のタンク１２には、上方に開口した貯蔵室１３、払出機構１４、タンク側継手部１５、タンク側係合部１６などが設けられる。払出機構１４は、払出体１７およびモータ１８を備える。払出体１７は、貯蔵室１３の底部に設けられる。モータ１８は、タンク１２の外部に設けられる。モータ１８のモータ軸のような出力軸が払出体１７に連結される。そして、払出機構１４が停止した場合、つまり、払出体１７がモータ１８の出力軸の停止によって停止した場合、球が払い出されることなく貯蔵室１３に貯蔵される。球が貯蔵室１３に貯蔵された状態において、払出体１７がモータ１８の出力軸によって回転すると、払出体１７が貯蔵室１３から球を１個ずつ分離しながらタンク１２の下方外部に払い出す。
【００１２】
タンク側継手部１５は、タンク１２の右側壁の外側に位置し、枠側継手部８に横方向から嵌め込めるように、前後方向に延びる丸棒として、タンク１２の右側壁に設けられる。タンク側係合部１６は、枠側係合部９の突起を受け止めるように、タンク１２の前壁に設けられる。球払出装置１１の払出通路構造体１９は、払出機構１４から払い出された球を遊技機枠１の前部における図外の受皿に払い出すように誘導するものであって、タンク１２と別体に構成され、盤収容室６の後部または可動枠３の前部に設けられる図外の上扉に設けられる。
【００１３】
図１を参照し、タンク１２が可動枠３に取り付けられる場合と、タンク１２が可動枠３から取り外される場合とについて説明する。先ず、タンク１２が可動枠３に取り付けられる場合、図１のａ図に示すように、作業者がタンク１２を手で持ち、タンク１２の前面が盤収容室６の背壁の裏面に向けられ、タンク側継手部１５が枠側継手部８に向けられ、タンク側係合部１６が枠側係合部９よりも上方に位置するように、タンク１２の左側部がタンク１２の右側部よりも上方に配置されるように、タンク１２が左上がりに傾けられる。
【００１４】
そして、図１のｂ図に示すように、タンク１２が左側から右側に移動され、タンク側継手部１５が枠側継手部８に左側から嵌め込まれる。その後、図１のｃ図に示すように、タンク１２が枠側継手部８とタンク側継手部１５との嵌合部分を中心として下方に回転されるのに伴い、枠側係合部９とタンク側係合部１６とが互いに係合され、タンク１２の底部が盤収容室６の上部に着地する。これによって、タンク１２が上下方向に移動しないように可動枠３に取り付けられる。
【００１５】
次に、タンク１２が可動枠３から取り外される場合、図１のｃ図に示す状態において、作業者がタンク側係合部１６におけるタンク１２より上方に突出した部分を前方に押して上記枠側係合部９とタンク側係合部１６との係合を解除したままタンク１２の左側部を上方に持ち上げる。それに伴い、図１のｂ図に示すように、タンク１２が枠側継手部８とタンク側継手部１５との嵌合部分を中心として上方に回転して左上がりに傾けられる。その後、図１のａ図に示すように、作業者がタンク１２を左側に移動して、タンク側継手部１５が枠側継手部８から左側に引き抜かれ、タンク１２が可動枠３から取り外される。
【００１６】
枠側継手部８およびタンク側継手部１５が互いに横方向に抜き差し可能に構成されたのに対し、枠側継手部８が上方に開口しかつ下方または下方から横方向に窪む形状に形成され、枠側継手部８およびタンク側継手部１５が互いに上下方向に抜き差し可能に構成されてもよい。
【００１７】
図３を参照し、枠側係合部９とタンク側係合部１６との係合と解除とについて説明する。図３のａ図に示すように、枠側係合部９の突起２１がタンク側係合部１６の上方に配置され、タンク側係合部１６と突起２１とが互いに上下方向で向かい合うことによって、枠側係合部９とタンク側係合部１６とが互いに係合した形態である。この係合形態によれば、タンク１２が上下方向に移動しないように突起２１と盤収容室６との間に挟まれて可動枠３に固定される。
【００１８】
図３のｂ図に示すように、タンク側係合部１６の弾性片２２におけるタンク１２より上方に突出した部分が作業者によって前方に押され、突起２１がタンク側係合部１６よりも前方に外れることによって、枠側係合部９とタンク側係合部１６との係合が解除された形態である。この解除形態によれば、タンク１２に衝撃が加わることなく、タンク１２を上方に持ち上げることができるので、球が貯蔵室１３から外部に落下することがなく、球が貯蔵室１３に適切に貯蔵されたまま、タンク１２が可動枠３から取り外せるという利点がある。
【００１９】
図２では、図示を省略したが、可動枠３の前部には上扉および下扉が開閉可能に設けられる。上扉および下扉は、左側部に位置するヒンジを中心とし、可動枠３の前部において個別に前方に開かれかつ後方に閉じられるように、片開き可能に構成される。上扉および下扉は、前扉として一体に構成されてもよい。上扉は、パネル枠とも呼ばれ、窓や窓パネルを備える。窓は、前後方向への貫通孔として構成される。窓パネルは、板状のガラスなどの透明体により構成され、窓を後方から塞ぐ。下扉の前部には、受皿および発射操作機構が設けられる。遊技盤が盤収容室６に取り付けられた後、上扉が閉じられて可動枠３に開閉不能に支持されることによって、パチンコ遊技機が構成される。このパチンコ遊技機では、窓パネルと遊技盤の前面との間におけるガイドレールで囲まれた部分が遊技領域として構成される。この遊技領域は、発射機構から発射された球の飛び交う空間であり、かつ、遊技機枠１の前方から窓および窓パネルを通して視認し得る空間である。遊技領域には、入賞部品や遊技釘およびアウト口などが設けられる。
【００２０】
パチンコ遊技機におけるパチンコ遊技の一例について説明すると、遊技者が受皿にパチンコ球と呼ばれる球を入れ、遊技者が発射操作機構を操作するのに伴い、発射機構が発射操作機構の操作量に応じた発射力で駆動し、発射機構が受皿か発射機構に取り込まれた球を１個ずつ遊技領域の上部に向けて発射する。遊技領域に到達した球が、遊技領域を流下する過程において、図外の入賞部品に入賞すると、当該入賞部品に対応する図外の球検出器が入賞信号を図外の制御装置に出力し、図外の制御装置が払出機構１４のモータ１８を制御し、払出機構１４の払出体１７が賞球としての球を払出通路構造体１９を通して受皿に払い出す。
【産業上の利用可能性】
【００２１】
図４乃至図７は、発明を実施するための異なる第１の形態を示す。図４は、遊技機のタンク取付装置を分解して示す。図５は、タンク側係合部１６を分解して示す。図６は、タンク側係合部１６の固定取付部２３に取り付けられた縦断面を示す。図７は、タンク１２の可動枠３への着脱工程を示す。
【００２２】
図４では、枠側係合部９の構造およびタンク側係合部１６の構造が、最良の形態と異なる。枠側係合部９は、上下方向への貫通孔または上方から下方への窪みとして盤収容室６に設けられる。タンク側係合部１６は、タンク１２の固定取付部２３に設けられる。固定取付部２３は、タンク１２の左側壁から外側に突出し、タンク１２の左側壁に設けられる。
【００２３】
図５を参照し、タンク側係合部１６の構造について説明する。タンク側係合部１６は、係合具２５および操作具２６を備える。係合具２５は、前後方向に貫通する中心孔２７を有する円筒体２８の一端部に受部２９を備え、円筒体２８の他端部に掛止部３０を備える。受部２９は円筒体２８の一端部より軸心方向の一方の外側に開口する皿状である。受部２９と掛止部３０との間における円筒体２８の外周面は、受部２９の外径と掛止部３０の外径との双方よりも細い、くびれ部３１として形成される。掛止部３０は、溝３２によって、周方向に独立した複数の片持ち梁のような弾性片として形成される。溝３２は、掛止部３０の他端部とくびれ部３１との間を、軸心方向と直径方向とに開口する。掛止部３０を構成する各弾性片の中心孔２７を囲む内面には、突起３３が、軸心方向に向けて突出する。
【００２４】
操作具２６は、棒本体３４の一端部に鍔３５とくびれ部３６と摘み３７とを備え、棒本体３４の他端部に係合凹部３８を備える。棒本体３４は、受部２９の方向から中心孔２７に挿入されるとともに、中心孔２７に挿入された場合に突起３３を中心孔２７の径方向外側に押して掛止部３０を押し広げる、太さである。鍔３５は、棒本体３４の外径よりも大きな外径であって、受部２９における周壁で囲まれた内部に取り込まれる大きさである。くびれ部３６は、鍔３５から同軸状に突出し、鍔３５と摘み３７との双方よりも細い。摘み３７は、くびれ部３６から同軸状に突出し、くびれ部３６と鍔３５との双方よりも太い円盤形状である。
【００２５】
図６を参照し、タンク側係合部１６が固定取付部２３に取り付けられた構造について説明する。係合具２５のくびれ部３１が、固定取付部２３に設けられた具取付孔２４に嵌め込まれることによって、受部２９と掛止部３０とが、具取付孔２４の周囲における固定取付部２３を挟む格好となり、係合具２５が、固定取付部２３に取り付けられ、掛止部３０が固定取付部２３より下方に突出する。そして、操作具２６の棒本体３４が、係合具２５の受部２９の方向から中心孔２７に挿入されることによって、係合凹部３８が、突起３３に嵌め込まれた格好となり、操作具２６が、係合具２５に取り付けられる。これによって、タンク側係合部１６が固定取付部２３に取り付けられる。
【００２６】
図７を参照し、タンク１２が可動枠３に取り付けられる場合と、タンク１２が可動枠３から取り外される場合とについて説明する。先ず、タンク１２が可動枠３に取り付けられる場合、図７のａ図に示すように、作業者がタンク１２を手で持ち、タンク１２の前面が盤収容室６の背壁の裏面に向けられ、タンク側継手部１５が枠側継手部８に嵌め込まれ、タンク側係合部１６が枠側係合部９よりも上方に配置されるように、タンク１２の左側部がタンク１２の右側部よりも上方に配置されるように、タンク１２が左上がりに傾けられる。そして、図７のｂ図に示すように、タンク１２が枠側継手部８とタンク側継手部１５との嵌合部分を中心として下方に回転されるのに伴い、タンク側係合部１６の掛止部３０が枠側係合部９に上方から挿入され、固定取付部２３が盤収容室６における枠側係合部９の周りの上面に着地する。
【００２７】
その後、作業者が操作具２６の摘み３７を図７のｂ図に矢印Ｘ１で示す方向に押すことによって、突起３３と係合凹部３８との嵌まり合いが解除され、棒本体３４が中心孔２７の内部を奥に進入する。これに伴い、図７のｃ図に示すように、棒本体３４の外周面が、突起３３を中心孔２７の径方向外側に押して、掛止部３０を押し広げる。この押し広げられた掛止部３０が、径方向外側に突っ張って枠側係合部９に固定され、タンク１２が枠側継手部８とタンク側継手部１５との嵌合部分を中心として上下方向に移動しないように可動枠３に固定される。
【００２８】
次に、タンク１２が可動枠３から取り外される場合、図７のｃ図に示す状態において、作業者が操作具２６の摘み３７を矢印Ｘ２で示す方向に引くことによって、棒本体３４が中心孔２７の奥から上方に後退する。これに伴い、上記棒本体３４の外周面による突起３３に対する中心孔２７の径方向外側への押し力が弱くなり、掛止部３０が自身の弾性によって径方向内側に復帰し、突起３３が係合凹部３８に嵌まり込み、掛止部３０が枠側係合部９から離れ、図７のｂ図の状態になる。これによって、タンク側係合部１６と枠側係合部９との係合が解除された形態となる。そして、タンク１２の左側部を上方に持ち上げるのに伴い、図１のａ図に示すように、タンク１２が枠側継手部８とタンク側継手部１５との嵌合部分を中心として上方に回転して左上がりに傾けられ、タンク側係合部１６の掛止部３０が枠側係合部９から上方に引き抜かれる。その後、作業者がタンク１２を左側に移動して、タンク側継手部１５が枠側継手部８から左側に引き抜かれ、タンク１２が可動枠３から取り外される。
【００２９】
図８は、発明を実施するための異なる第２の形態を示す。図８では、枠側位置決め部３９が可動枠３に設けられ、タンク側位置決め部４０がタンク１２に設けられた構造が、最良の形態と異なる。枠側位置決め部３９は、枠側継手部８よりも前方に位置し、盤収容室６の上壁の右側部から左側に突出する突起として、盤収容室６の後部に設けられる。枠側位置決め部３９と可動枠３の後面との間の前後方向の隙間Ｈ１は、タンク側位置決め部４０を前後方向に移動しないように嵌め込める寸法に構成される。タンク側位置決め部４０は、可動枠３の側における隙間Ｈ１に嵌め込まれるように、タンク１２の右側壁から右側に突出する突起として、タンク１２に設けられる。
【００３０】
よって、タンク１２が可動枠３に取り付けられる場合、タンク側位置決め部４０が隙間Ｈ１に嵌め込まれることによって、タンク１２が前後方向に移動不能となるので、枠側継手部８とタンク側継手部１５とが互いに嵌め込まれることによってタンク１２を前後方向に移動不能にする構造に比べ、例えば、枠側継手部８に対するタンク側継手部１５の前後方向の寸法を大きく形成することによって、枠側継手部８とタンク側継手部１５とを横方向から互いに嵌め込みやすくなるという利点がある。枠側位置決め部３９が図４の可動枠３に設けられ、タンク側位置決め部４０が図４のタンク１２に設けられてもよい。
【００３１】
図９は、発明を実施するための異なる第３の形態を示す。図９では、枠側継手部８とタンク側継手部１５とが互いに前後方向に抜き差し可能である構造と、枠側係合部９とタンク側係合部１６とが互いに前後方向で係合する構造とが最良の形態と異なる。枠側継手部８は、前後方向への貫通孔または後方から前方への窪みとして盤収容室６に設けられる。枠側係合部９は、盤収容室６の背壁から後方に片持ち梁のように突出した弾性片の左面に突起を備え、盤収容室６に設けられる。タンク側継手部１５は、前後方向に延びる構造物としてタンク１２に右側壁に設けられる。タンク側係合部１６は、左方向に突出する構造物としてタンク１２に左側壁に設けられる。
【００３２】
よって、タンク側継手部１５が後方から枠側継手部８に挿入されるのに伴い、枠側係合部９とタンク側係合部１６とが互いに係合し、タンク１２が可動枠３に取り付けられる。その状態において、作業者が枠側係合部９におけるタンク側係合部１６よりも後方に突出する部分を左側に押してタンク側係合部１６とタンク側係合部１６との係合を解除したままタンク１２を後方に移動すると、タンク側継手部１５が枠側継手部８から後方に抜き取られ、タンク１２が可動枠３から取り外される。タンク側継手部１５と枠側継手部８との嵌め合いが互いに締まり嵌めに構成されれば、タンク１２が可動枠３に良好に取り付けられる。
【００３３】
図１０は、発明を実施するための異なる第４の形態を示す。図１０では、枠側継手部８とタンク側継手部１５とが互いに前後方向に抜き差し可能である構造と、枠側係合部９とタンク側係合部１６とが互いに前後方向に抜き差し可能である構造とが、最良の形態と異なる。枠側継手部８および枠側係合部９は、前後方向への貫通孔または後方から前方への窪みとして盤収容室６に個別に設けられる。タンク側継手部１５は、前後方向に延びる構造物としてタンク１２に右側壁に設けられる。タンク側係合部１６は、係合具２５および操作具２６より構成され、タンク１２の左側壁に設けられた固定取付部２３に設けられる。タンク側係合部１６の詳細な構造は、図５および図６参照。
【００３４】
よって、タンク側継手部１５が後方から枠側継手部８に挿入されるのに伴い、タンク側係合部１６の掛止部３０（図６参照）が枠側係合部９に後方から挿入され、固定取付部２３が盤収容室６における枠側係合部９の周りの後面に着地する。その後、操作具２６が作業者によって前方に押され、タンク側係合部１６が枠側係合部９に係合し、タンク１２が可動枠３に取り付けられる。その状態において、操作具２６が作業者によって後方に引かれ、タンク側係合部１６が枠側係合部９から解除される。その後、タンク側継手部１５が枠側継手部８から後方に抜き取られ、タンク１２が可動枠３から取り外される。
【００３５】
図１１は、発明を実施するための異なる第５の形態を示す。図１１では、タンク１２と球払出装置１１とが分別構成され、タンク１２の底部に開閉機構４１が設けられ、タンク１２が枠側継手部８とタンク側継手部１５と枠側係合部９とタンク側係合部１６とからなるタンク取付装置によって可動枠３に取り付けられ、球払出装置１１の払出体１７への図外の球入口が球出口４９から排出される球を受け入れるように、球払出装置１１が可動枠３に取り付けられた構造が、最良の形態と異なる。
【００３６】
開閉機構４１は、球出口４２、扉４３、カバー４４を備える。球出口４２は、上下方向への貫通孔として貯蔵室１３の底部に設けられる。貯蔵室１３の底部には、閉係合部４５および開係合部４６などが設けられる。扉４３には、操作部４７および被係合部４８などが設けられる。カバー４４には、球出口４９および操作逃避部５０などが設けられる。開閉機構４１のタンク１２への取付方は、扉４３がタンク１２の底部とカバー４４との間に配置され、カバー４４がタンク１２の底部に固定され、球出口４９が球出口４２よりも下方で球出口４２の真下に位置し、操作部４７が操作逃避部５０を経由してカバー４４よりも下方に突出し、扉４３がタンク１２の底部とカバー４４との間に開閉方向に移動可能に配置される。
【００３７】
開閉機構４１がタンク１２の底部に取り付けられた状態において、図１１に示すように、開係合部４６と被係合部４８とが互いに係合し、扉４３が閉じる方向に移動しないように、扉４３が開放位置に保持されるので、球が球出口４２からタンク１２の下方外部に排出されるという利点がある。扉４３が開放位置に保持された状態において、操作部４７が図１１に矢印Ｘ３で示す閉方向に人為的に操作されると、被係合部４８が開係合部４６から解放された後に閉係合部４５に係合し、扉４３が球出口４２を閉鎖し、扉４３が開く方向に移動しないように、扉４３が閉鎖位置に保持されるので、球が球出口４２から落下することなく貯蔵室１３に適切に貯蔵されるという利点がある。よって、扉４３が閉鎖位置に保持された後、枠側係合部９とタンク側係合部１６との係合解除、タンク側継手部１５が枠側継手部８から引き抜かれ、タンク１２が可動枠３から取り外されることによって、球をタンク１２から遊技機設置設備における捕球機構に捨てることができる。つまり、タンク１２と球払出装置１１とを別々の物体として相互に分けることができる。
【図面の簡単な説明】
【００３８】
【図１】タンクの可動枠への着脱工程図（最良の形態）。
【図２】遊技機のタンク取付装置の分解斜視図（最良の形態）。
【図３】ａ図は枠側係合部とタンク側係合部との係合形態の断面図、ｂ図は枠側係合部とタンク側係合部との解除形態の断面図（最良の形態）。
【図４】遊技機のタンク取付装置の分解斜視図（異なる第１形態）。
【図５】タンク側係合部の分解斜視図（異なる第１形態）。
【図６】タンク側係合部の固定取付部への取付構造の縦断面図（異なる第１形態）。
【図７】タンクの可動枠への着脱工程図（異なる第１形態）。
【図８】遊技機のタンク取付装置の分解斜視図（異なる第２形態）。
【図９】遊技機のタンク取付装置の分解斜視図（異なる第３形態）。
【図１０】遊技機のタンク取付装置の分解斜視図（異なる第４形態）。
【図１１】遊技機の球払出装置の背面図（異なる第５形態）。
【図１２】遊技機の球払出装置の背面図（従来）。
【符号の説明】
【００３９】
１は遊技機枠、２は固定枠、３は可動枠、４はヒンジ、５は発射取付部、６は盤収容室、７は中央開口部、８は枠側継手部、９は枠側係合部、１０はスリット、１１は球払出装置、１２はタンク、１３は貯蔵室、１４は払出機構、１５はタンク側継手部、１６はタンク側係合部、１７は払出体、１８はモータ、１９は払出通路構造体、２０は空間部、２１は突起、２２は弾性片、２３は固定取付部、２４は具取付孔、２５は係合具、２６は操作具、２７は中心孔、２８は円筒体、２９は受部、３０は掛止部、３１はくびれ部、３２は溝、３３は突起、３４は棒本体、３５は鍔、３６はくびれ部、３７は摘み、３８は係合凹部、３９は枠側位置決め部、４０はタンク側位置決め部、４１は開閉機構、４２は球出口、４３は扉、４４はカバー、４５は閉係合部、４６は開係合部、４７は操作部、４８は被係合部、４９は球出口、５０は操作逃避部、５１は通路切替機構、５２は球抜通路構造体、５３は受皿、Ｈ１は隙間。
【図１】
2009072323.tif 000003
【図２】
2009072323.tif 000004
【図３】
2009072323.tif 000005
【図４】
2009072323.tif 000006
【図５】
2009072323.tif 000007
【図６】
2009072323.tif 000008
【図７】
2009072323.tif 000009
【図８】
2009072323.tif 000010
【図９】
2009072323.tif 000011
【図１０】
2009072323.tif 000012
【図１１】
2009072323.tif 000013
【図１２】
2009072323.tif 000014